(57)【要約】【課題】小型および薄型化を図り、酸性電解水およびアルカリ性電解水を効率的に生成できる電解水生成装置を提供する。【解決手段】電解水生成装置１は、電解槽１０内の空間を２つの部屋に区分けする隔壁１３、陽極電極と陰極電極とが間隔を空けて配置され、第１の液体が流入される第１の液体流入室１１、第２の液体が流入される第２の液体流入室１２、第１の液体を第１の液体流入室１１に供給する第１の液体供給部２０、第２の液体を第２の液体流入室１２に供給する第２の液体供給部３０を備える。陽極電極１４および陰極電極１５は、電圧を印加することによって第２の液体を電気分解し、第１の液体流入室１１は、電気分解によって、陽極電極１４が配置された領域で酸性電解水を生成するとともに陰極電極１５が配置された領域でアルカリ性電解水を生成する。【選択図】図１
2017170306.tif 000002
【特許請求の範囲】
【請求項１】
電解槽内の空間を２つの部屋に区分けする第１の隔壁と、
前記第１の隔壁によって区分けされた前記２つの部屋の一方であって、陽極電極と陰極電極とが間隔を空けて配置され、第１の液体が流入される第１の液体流入室と、
前記第１の隔壁によって区分けされた前記２つの部屋の他方であって、第２の液体が流入される第２の液体流入室と、
前記第１の液体流入室と配管を介して接続され、前記第１の液体を前記第１の液体流入室に供給する第１の液体供給部と、
前記第２の液体流入室と配管を介して接続され、前記第２の液体を前記第２の液体流入室に供給する第２の液体供給部と、を備え、
前記陽極電極および前記陰極電極は、電圧を印加することによって前記第２の液体流入室に流入された前記第２の液体を電気分解し、
前記第１の液体流入室は、前記電気分解によって、前記陽極電極が配置された領域で酸性電解水を生成するとともに前記陰極電極が配置された領域でアルカリ性電解水を生成する、
電解水生成装置。
【請求項２】
前記陽極電極と前記陰極電極とは、板状に形成され、前記第１の液体流入室の前記隔壁の面に固定されている、
請求項１に記載の電解水生成装置。
【請求項３】
前記第１の隔壁は、前記陽極電極に対応する領域が陰イオン交換膜で構成され、前記陰極電極に対応する領域が陽イオン交換膜で構成される、
請求項１または２に記載の電解水生成装置。
【請求項４】
前記第１の液体流入室は、前記第１の液体を前記第１の液体流入室の内部に流入する流入口と、前記酸性電解水を流出する第１の流出口と、前記アルカリ性電解水を流出する第２の流出口とを備え、
前記陽極電極は、前記流入口と前記第１の流出口との間で形成される第１の流路に配置され、前記陰極電極は、前記流入口と前記第２の流出口との間で形成される第２の流路に配置される、
請求項１から３の何れか１項に記載の電解水生成装置。
【請求項５】
前記陽極電極と前記陰極電極との間で前記第１の隔壁と直交する方向に立設され、前記流入口から流入された液体を前記１の流路と前記第２の流路とに分岐する第２の隔壁を備える、
請求項４に記載の電解水生成装置。
【請求項６】
前記第２の隔壁は、前記流入口から、液体が流入する方向に間隔を空けた位置に設けられている、
請求項５に記載の電解水生成装置。
【請求項７】
前記第１の流路および前記第２の流路の少なくとも一方に、少なくとも１以上の障壁が設けられている、
請求項４から６の何れか１項に記載の電解水生成装置。
【請求項８】
前記第２の液体流入室は、前記第１の隔壁を介して前記陽極電極および前記陰極電極と対向する位置に導電性の板を備える、
請求項１から７の何れか１項に記載の電解水生成装置。
【請求項９】
前記陽極電極と前記陰極電極とに印加する電圧の極性を反転する制御部を備え、
前記陽極電極と前記陰極電極とは、前記第１の液体が流れる方向に沿って交互に複数配置され、
前記制御部は、前記第１の液体が流れる方向の電極の幅と前記第１の液体の流速とによって定められるタイミングで前記電圧の極性を反転し、前記陽極電極が配置された領域と前記陰極電極が配置された領域とにおいて、前記酸性電解水と前記アルカリ性電解水とを交互に生成させる、
請求項１から３の何れか１項に記載の電解水生成装置。
【発明の詳細な説明】
【技術分野】
【０００１】
本発明の実施形態は、電解水生成装置に関する。
【背景技術】
【０００２】
陽極電極を有する陽極室と、陰極電極を有する陰極室と、陽極室と陰極室との間に配置された中間室とからなる３室構造の電解槽を有する電解水生成装置が知られている（特許文献１参照）。この種の電解水生成装置は、図１３に示すように、陽極室および陰極室に水、中間室に塩水を供給し、陽極室が有する陽極電極と陰極室が有する陰極電極とによって、中間室内の塩水を電気分解する。これにより、陽極室では、次亜塩素酸水等の酸性電解水が生成され、陰極室では、水酸化ナトリウム等のアルカリ性電解水が生成される。
【０００３】
しかし、電解槽は３室を積み重ねた構造であり、また、陽極室および陰極室にそれぞれ水を供給するための配管を設ける必要があるため、小型および薄型化を図ることが難しいという問題があった。
【先行技術文献】
【特許文献】
【０００４】
【特許文献１】特開２０１５−１７８０６１号公報
【発明の概要】
【発明が解決しようとする課題】
【０００５】
本発明は、このような問題に着目してなされたものであり、小型および薄型化を図り、酸性電解水およびアルカリ性電解水を効率的に生成できる電解水生成装置を提供することを目的とする。
【課題を解決するための手段】
【０００６】
上記目的を達成するために、本発明に係る電解水生成装置は、
電解槽内の空間を２つの部屋に区分けする第１の隔壁と、
前記第１の隔壁によって区分けされた前記２つの部屋の一方であって、陽極電極と陰極電極とが間隔を空けて配置され、第１の液体が流入される第１の液体流入室と、
前記第１の隔壁によって区分けされた前記２つの部屋の他方であって、第２の液体が流入される第２の液体流入室と、
前記第１の液体流入室と配管を介して接続され、前記第１の液体を前記第１の液体流入室に供給する第１の液体供給部と、
前記第２の液体流入室と配管を介して接続され、前記第２の液体を前記第２の液体流入室に供給する第２の液体供給部と、を備え、
前記陽極電極および前記陰極電極は、電圧を印加することによって前記第２の液体流入室に流入された前記第２の液体を電気分解し、
前記第１の液体流入室は、前記電気分解によって、前記陽極電極が配置された領域で酸性電解水を生成するとともに前記陰極電極が配置された領域でアルカリ性電解水を生成する。
【図面の簡単な説明】
【０００７】
【図１】本発明の一実施形態に係る電解水生成装置の構成を示した模式図である。
【図２】図１に示した電解槽（セル）の構成を示した模式図である。
【図３】陽極電極と陰極電極との間に第２の隔壁を備えた電解槽を示した図である。
【図４】（ａ）は、電解槽の外観の例を示した図である。（ｂ）は、図４（ａ）に示したＡ−Ａ’線で切断された電解槽の断面図である。
【図５】導電性の板を備えた電解槽を示した図である。
【図６】第１の液体流入室と第２の液体流入室とを左右に並べた電解槽の外観の例を示した図である。
【図７】図６に示したＡ−Ａ’線で切断された電解槽の断面図である。
【図８】複数の電解槽を収容したラックの例を示した模式図である。
【図９】陽極電極と陰極電極とが水が流れる方向に沿って交互に複数配置された電解槽の構成を示した図である。
【図１０】（ａ）は、図９に示した陽極電極に印加される電圧と時間との関係を示した図である。（ｂ）は、図９に示した陰極電極に印加される電圧と時間との関係を示した図である。
【図１１】図９に示した電解槽から流出する電解水の構成を示した図である。
【図１２】図９に示した電解槽を備えた電解水生成装置の使用例を示した図である。
【図１３】従来の電解水生成装置を説明するための図である。
【発明を実施するための形態】
【０００８】
以下、図面を参照して、本発明の実施形態に係る電解水生成装置を説明する。
【０００９】
（第１の実施形態）
図１に示すように、電解水生成装置１は、酸性電解水およびアルカリ性電解水を生成するものである。電解水生成装置１は、電解槽（セル）１０と、第１の液体供給部２０と、第２の液体供給部３０と、電源部４０と、酸性電解水取得部５０と、アルカリ性電解水取得部６０と、制御部７０とを備える。
【００１０】
第１の液体供給部２０は、水道水や純水等の水を電解槽１０に供給するものであり、配管を介して電解槽１０と接続されている。第２の液体供給部３０は、電解質水溶液である塩水を電解槽１０に供給するものであり、配管を介して電解槽１０と接続されている。電源部４０は、電解槽１０に設けられた一対の電極（陽極電極１４および陰極電極１５）に直流電圧を印加するものである。
【００１１】
酸性電解水取得部５０は、例えば、酸性電解水の貯留タンクであり、電解槽１０で生成された酸性電解水を電解槽１０から取得し、貯留する。アルカリ性電解水取得部６０は、例えば、アルカリ性電解水の貯留タンクであり、電解槽１０で生成されたアルカリ性電解水を電解槽１０から取得し、貯留する。
【００１２】
制御部７０は、ＣＰＵ(Central Processing Unit)、ＣＰＵのメインメモリとして機能するＲＡＭ（Random Access Memory）、タイマ等を備える。制御部７０は、第１の液体供給部２０、第２の液体供給部３０および電源部４０を制御することにより、電解槽１０において酸性電解水およびアルカリ性電解水を生成させる。
【００１３】
電解槽１０は、隔壁１３（第１の隔壁）を備え、隔壁１３によって電解槽１０内の空間を２つの部屋に区分けする。２つの部屋は、第１の液体流入室１１と第２の液体流入室１２とから構成される。第１の液体流入室１１は、第１の液体供給部２０から供給された水が流入される給水室であり、第２の液体流入室１２は、第２の液体供給部３０から供給さえた塩水が流入される塩水（電解質）供給室である。
【００１４】
第１の液体流入室１１には、陽極電極１４、陰極電極１５、流入口１１１、および流出口１１２，１１３が設けられる。
【００１５】
陽極電極１４と陰極電極１５とは、互いに同じ大きさで板状に形成された電極であり、隔壁１３において、互いに間隔を空けて並んで配置、固定されている。陽極電極１４と陰極電極１５とは、電源部４０に接続され、陽極電極１４にプラスの直流電圧が印加され、陰極電極１５にマイナスの直流電圧が印加される。隔壁１３は、陽極電極１４に対応する領域が陰イオン交換膜で構成され、陰極電極１５に対応する領域が陽イオン交換膜で構成されている。陽極電極１４と陰極電極１５にそれぞれ電圧が印加されると、陽極電極１４が配置された領域では酸性電解水が生成され、陰極電極１５が配置された領域ではアルカリ性電解水が生成される。
【００１６】
流入口１１１は、例えば、図２に示すように、第１の液体流入室１１の上面中央の位置に設けられる。流入口１１１は、配管を介して第１の液体供給部２０と接続され、第１の液体供給部２０から供給された水は、流入口１１１から第１の液体流入室１１の内部に流入される。
【００１７】
また、流入口１１１は、流出口１１２，１１３よりも高い位置に設けられ、流出口１１２，１１３の中間の位置に設けられる。つまり、流入口１１１は、流出口１１２，１１３よりもＺ軸の正方向（上方）に位置し、Ｘ−Ｙ軸の平面上において（Ｚ軸の方向からみて）、流出口１１２，１１３の中央に位置する。
【００１８】
流出口１１２は、流入口１１１との間に陽極電極１４が配置され、陽極電極１４が配置された領域を通過した液体（酸性電解水）を流出する。流出口１１２は、例えば、第１の液体流入室１１の陽極電極１４が配置された側の一側面（図示した右側の側面）に設けられる。これにより、流入口１１１、陽極電極１４、流出口１１２の順で液体が流れる流路（第１の流路）が形成される。また、流出口１１２は、配管を介して酸性電解水取得部５０と接続され、陽極電極１４が配置された領域で生成された酸性電解水は、酸性電解水取得部５０に供給される。
【００１９】
流出口１１３は、流入口１１１との間に陰極電極１５が配置され、陰極電極１５が配置された領域を通過した液体（アルカリ性電解水）を流出する。流出口１１３は、例えば、流出口１１２が設けられた面と対向する面（図示した左側の側面）に設けられる。これにより、流入口１１１、陰極電極１５、流出口１１２の順で液体が流れる流路（第２の流路）が形成される。また、流出口１１３は、配管を介してアルカリ性電解水取得部６０と接続され、陰極電極１５が配置された領域で生成されたアルカリ性電解水は、アルカリ性電解水取得部６０に供給される。なお、流出口１１２，１１３によって、流入口１１１との間で形成される各流路は交差しないように設けられているため、各流路で流れる液体（酸性電解水、アルカリ性電解水）の混合が抑制される。
【００２０】
一方、第２の液体流入室１２には、流入口１２１、流出口１２２が設けられる。
【００２１】
流入口１２１は、例えば、第２の液体流入室１２の一側面（図示した左側の側面）に設けられる。流入口１２１は、配管を介して第２の液体供給部３０と接続され、第２の液体供給部３０から供給された塩水は、流入口１２１から第２の液体流入室１２の内部に流入される。
【００２２】
流出口１２２は、第２の液体流入室１２の内部に流入された塩水を第２の液体供給部３０に流出する。流出口１２２は、例えば、流入口１２１が設けられた面と対向する面（図示した右側の側面）に設けられる。流出口１２２は、配管を介して第２の液体供給部３０と接続され、流出口１２２から流出された塩水は、第２の液体供給部３０に供給される。つまり、塩水は、第２の液体流入室１２と第２の液体供給部３０との間で循環させて使用される。
【００２３】
以上のように構成された電解水生成装置１によって酸性電解水およびアルカリ性電解水を生成する処理を説明する。
【００２４】
第２の液体流入室１２の流入口１２１を介して第２の液体流入室１２の内部に流入された塩水は、第１の液体流入室１１の陽極電極１４および陰極電極１５に印加された電圧によって電気分解される。塩水が電気分解されると、陽極電極１４が配置された領域では酸性電解水が生成され、陰極電極１５が配置された領域ではアルカリ性電解水が生成される。
【００２５】
具体的には、塩水は、塩素イオン（Ｃｌ−）とナトリウムイオン（Ｎａ＋）とに電気分解される。電気分解された塩素イオンは、隔壁１３の陰イオン交換膜で構成された部分を透過して陽極電極１４に移動し、陽極電極１４で塩素ガスを発生する。発生した塩素ガスは、陽極電極１４が配置された領域にある水と混合して次亜塩素酸水（ＨＣＩＯ；酸性電解水）となる。
【００２６】
一方、電気分解されたナトリウムイオンは、隔壁１３の陽イオン交換膜で構成された部分を透過して陰極電極１５に移動し、陰極電極１５で水素ガスが発生する。発生した水素ガスは、陰極電極１５が配置された領域にある水と混合して水酸化ナトリウム（ＮＡＯＨ；アルカリ性電解水）となる。
【００２７】
陽極電極１４が配置された領域で生成された酸性電解水は、流出口１１２から流出し、配管を介して酸性電解水取得部５０に供給される。一方、陰極電極１５が配置された領域で生成されたアルカリ性電解水は、流出口１１３から流出し、配管を介してアルカリ性電解水取得部６０に供給される。
【００２８】
以上説明したように、第１の実施形態に係る電解水生成装置１は、第１の液体流入室１１に水、第２の液体流入室に塩水（電解質水溶液）を供給することにより、第１の液体流入室１１で酸性電解水およびアルカリ電解水の両方を生成できる。そのため、３室構造の電解槽を有する電解水生成装置と比べて、水を供給するための配管の数を減らすことができる。このように、電解水生成装置１によれば、小型および薄型化を実現し、酸性電解水およびアルカリ性電解水の生成を効率的に行うことができる。
【００２９】
なお、電解水生成装置１において、酸性電解水またはアルカリ電解水のＰＨ値を予め設定、記憶してもよい。この場合、制御部７０は、第１の液体流入室１１で生成された酸性電解水およびアルカリ電解水のＰＨ値が、予め記憶されたＰＨ値に達するように、第１の液体供給部２０や第２の液体供給部３０の水量、第１の液体流入室１１や第２の液体流入室１２における液体の速さ（流速）を制御してもよい。これにより、所望のＰＨ値の酸性電解水およびアルカリ性電解水が得られる。
【００３０】
また、第１の液体流入室１１に設けられた流入口１１１や流出口１１２，１１３、第２の液体流入室１２に設けられた流入口１２１や流出口１２２は、上記実施形態で説明したものに限定されるものではなく、その位置や数量を適宜、任意に変更してもよい。例えば、第１の液体流入室１１の流入口１１１は、第１の液体流入室１１の上面中央からずれた位置、つまり、Ｘ−Ｙ軸の平面上において（Ｚ軸の方向からみて）、流出口１１２，１１３の中央からずれた位置に設けられてもよい。また、第２の液体流入室１２の流入口１２１および流出口１２２も、第２の液体（塩水）の流路が形成されるものであれば、その位置や数量を変更してもよい。
【００３１】
また、流入口１１１を第１の液体流入室１１の一側面（図示した手前の側面）に設け、流出口１１２，１１３を流入口１１１が設けられた面と対向する面（図示した奥側の側面）に設けてもよい。この場合においても、流出口１１２は、流入口１１１との間に陽極電極１４が配置されるように設けられ、流出口１１３は、流入口１１１との間に陰極電極１５が配置されるように設けられる。これにより、流出口１１２からは酸性電解水が流出され、流出口１１３からはアルカリ性電解水が流出される。
【００３２】
また、図３に示すように、陽極電極１４と陰極電極１５との間に隔壁１６を備えてもよい。隔壁１６は、流入口１１１から液体が流入する方向（下流方向）に間隔を空けて、隔壁１３から隔壁１３と直交する方向に立設されている。また、隔壁１６は、第１の液体流入室１１の流出口１１２，１１３が設けられた側面に接して設けられている（側面からも立設されている）。隔壁１６は、第１の液体流入室１１の内部に流入された液体（水）を、流入口１１１と流出口１１２との間で形成される第１の流路と、流入口１１１と流出口１１３との間で形成される第２の流路とに分岐する。これにより、各流路では、他の流路で生成された電解水と混合することなく、各電解水（酸性電解水、アルカリ性電解水）を効率的に生成できる。なお、隔壁１６は、例えば、陽極電極１４側の面を陽イオン交換膜、陰極電極１５側の面を陰イオン交換膜等から構成し、各流路で生成された電解水が他の流路に透過しないように構成される。隔壁１６は、各流路で生成された電解水が他の流路に透過しないものであれば、他の材料を採用してもよい。
【００３３】
また、上記実施の形態では、隔壁１３によって電解槽１０の内部の空間を２つの部屋（第１の液体流入室１１、第２の液体流入室１２）に区分けする例を説明したが、陽極電極１４と陰極電極１５とを一方の面に配置した電極体を、一対の凹状の部材で挟むことにより第１の液体流入室１１と第２の液体流入室１２とを備えた電解槽１０を構成してもよい。この場合、例えば、図４（ａ）に示すように、一対の凹状の部材（第１の液体流入室１１および第２の液体流入室１２）はボルト等の連結部材によって連結される。また、電解槽１０から露出した陽極端子１４１および陰極端子１５１は、配線のミスを防ぐため、それぞれ孔の数や形状を変えるなどして、ユーザが識別可能に形成されることが好ましい。
【００３４】
また、流入口１１１と流出口１１２との間で形成される第１の流路、流入口１１１と流出口１１３との間で形成される第２の流路の少なくとも一方に少なくとも一以上の障壁１７を備えてもよい。例えば、図４（ｂ）に示すように、障壁１７は、流入口１１１から流出口１１２，１１３方向に対して交差する方向（液体の流れを妨げる方向）に設けられている。これにより、各流路における液体の流れを遅らせ、各流路で生成された電解水（酸性電解水，アルカリ性電解水）が流出口１１２，１１３に到達するまでに、当該電解水のＰＨ濃度を均一にできる。
【００３５】
さらに、第２の液体流入室１２は、図５に示すように、隔壁１３を介して陽極電極１４および陰極電極１５と対向する位置に導電性の板１８を備えてもよい。導電性の板１８は、第２の液体流入室１２内の液体よりも導電性が高い。陽極電極１４と陰極電極１５は、板状の電極であるため、図５に示したように並んで配置されると、各電極面において隣り合う電極との距離の差が生じる。つまり、陽極電極１４の左端は右端よりも陰極電極１５に近く、陰極電極１５の右端は左端よりも陽極電極１４に近い。そのため、同一の電極であっても、電極面の位置によって、集まるイオンの量が異なり、電解水の生成の寄与（ＰＨ濃度等）が異なることが考えられる。板１８を備えたことにより、各電極面における電位分布の差を小さくできる。これにより、陽極電極１４および陰極電極１５において、電極面に集まるイオンの量を均等にし、電極面における電解水の生成の寄与の差を縮小できる。
【００３６】
また、電解槽１０において第１の液体流入室１１と第２の液体流入室１２の各配置位置は、適宜、任意に変更できる。上記実施の形態で説明した電解槽１０は、上部に第１の液体流入室１１、下部に第２の液体流入室１２を備えるものであったが、例えば、図６に示すように、第１の液体流入室１１と第２の液体流入室１２とを左右に並べてもよい。つまり、陽極電極１４および流出口１１２は、流入口１１１よりも下方に位置する。これにより、流入口１１１から供給される液体（水）と陽極電極１４で発生した塩素ガスとの混合を効率よく行うことができ、電解槽１０の外部への塩素ガスの漏れを抑制できる。
【００３７】
また、図７に示すように、電解槽１０から露出した陽極端子１４１および陰極端子１５１に接続された配線の端に設けられたコネクタは電解槽１０の上側面に設けられている。これにより、流入口１１１、流出口１１２，１１３と各配管との間から液体が漏れたとしても、コネクタが濡れて短絡する不具合を回避できる。
【００３８】
また、電解水生成装置１は、電解槽１０を複数備えてもよい。例えば、図８に示すように、複数の電解槽１０をラックに収容する。各電解槽１０が備える、第１の液体流入室１１の流入口１１１、流出口１１２，１１３、第２の液体流入室１２の流入口１２１、流出口１２２には、それぞれ対応する集合配管（計５本の配管）が接続される。このように、ラック内に複数の電解槽１０を並べて収容することにより、第１の液体流入室１１および第２の液体流入室１２に供給される各液体（水、塩水）、第１の液体流入室１１および第２の液体流入室１２から排出される各液体（酸性電解水、アルカリ性電解水、塩水）の供給用、排出用の集合配管を設置しやすくなる。また、流入口１１１、流出口１１２，１１３、流入口１２１、流出口１２２の各位置が電解槽１０間で揃うため、重力の影響による電解槽１０間の圧力差の発生、給水量および排水量のばらつきも抑制できる。なお、集合配管と電解槽１０との接続は、電解セルをラックから抜いたときに液体の漏れを止めるため、自動開閉バルブを備えるカプラーを設けるのが好ましい。
【００３９】
（第２の実施形態）
第１の実施形態を応用し、第１の液体流入室１１から酸性電解水とアルカリ性電解水とを交互に流出させる例を説明する。なお、第２の液体流入室１２については第１の実施形態で説明した構成によって実施できるため説明は省略する。
【００４０】
図９に示すように、第１の液体流入室１１は、流入口１１１と、流出口１１２と、複数の陽極電極１４と、複数の陰極電極１５とを備える。
【００４１】
流入口１１１は、例えば、第１の液体流入室１１の一側面（図示した左側の側面）に設けられる。流入口１１１は、配管を介して第１の液体供給部２０と接続され、第１の液体供給部２０から供給された水を流入口１１１から第１の液体流入室１１の内部に流入する。
【００４２】
流出口１１２は、流入口１１１が設けられた面と対向する第１の液体流入室１１の一側面（図示した右側の側面）に設けられる。なお、流入口１１１と流出口１１２は対向するように設けられているがこれに限られることはなく、流入口１１１と流出口１１２の間に陽極電極１４、陰極電極１５が配置された領域を通過して流出されるように設けられていればよい。流出口１１２は、図１２に示すホース等に接続される。
【００４３】
陽極電極１４と陰極電極１５とは、隔壁１３において、水が流れる方向に沿って交互に間隔を空けて並んで配置、固定されている。隔壁１３は、陽極電極１４および陰極電極１５に対応する領域が、両イオン（陽および陰イオン）を透過させることができる両イオン交換膜で構成されている。
【００４４】
また、制御部７０は、予め設定されたタイミングで電源部４０の電圧の極性を反転させる。電圧の極性を反転させるタイミングは、第１の液体流入室１１における水の流速Ｕと、陽極電極１４，陰極電極１５の水が流れる方向の幅Ｌとから求められる時間ΔＴ（Ｌ／Ｕ）である。制御部７０は、このタイミング（ΔＴの間隔）で、図１０に示すように、電源部４０の電圧の極性を反転させる。
【００４５】
これにより、陽極電極１４が配置された領域と、陰極電極１５が配置された領域とにおいて、酸性電解水とアルカリ性電解水とが交互に生成され、流出口１１２からは、図１１に示すように、酸性電解水とアルカリ性電解水とが交互に排出される。酸性電解水とアルカリ性電解水とは、殺菌消毒および洗浄効果を期待できる。使用者は、図１２に示したように、流出口１１２に接続されたホースを持って対象物の洗浄等を行う。なお、ホース内で酸性電解水とアルカリ性電解水との界面で中和が発生するが、ホースの細長い流路で中和する量（混合する量）は少ない。また、洗浄後の排水は、酸性電解水とアルカリ性電解水とが混ざり合うことで中性になるため下水配管等の腐食の影響も少ない。
【００４６】
以上、いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１…電解水生成装置
１０…電解槽
１１…第１の液体流入室
１２…第２の液体流入室
１３…隔壁（第１の隔壁）
１４…陽極電極
１５…陰極電極
１６…隔壁（第２の隔壁）
１７…障壁
１８…導電性の板
２０…第１の液体供給部
３０…第２の液体供給部
４０…電源部
５０…酸性電解水取得部
６０…アルカリ性電解水取得部
７０…制御部
１１１…流入口
１１２，１１３…流出口
１２１…流入口
１２２…流出口
【図１】
2017170306.tif 000003
【図２】
2017170306.tif 000004
【図３】
2017170306.tif 000005
【図４】
2017170306.tif 000006
【図５】
2017170306.tif 000007
【図６】
2017170306.tif 000008
【図７】
2017170306.tif 000009
【図８】
2017170306.tif 000010
【図９】
2017170306.tif 000011
【図１０】
2017170306.tif 000012
【図１１】
2017170306.tif 000013
【図１２】
2017170306.tif 000014
【図１３】
2017170306.tif 000015